(57)【要約】【課題】  追跡センサを含む、装置及び方法を提供する。【解決手段】  センサは、フェライト粉末を収容するチューブと、チューブの周りに巻き付けられるコイルとを含む。他の実施形態も記載される。【選択図】  図１
2017006670.tif 000002
【特許請求の範囲】
【請求項１】
追跡センサであって、
フェライト粉末を収容するチューブと、
前記チューブの周りに巻き付けられるコイルと、
を備える、追跡センサ。
【請求項２】
結合材料を更に備え、前記チューブが前記結合材料を更に収容する、請求項１に記載の追跡センサ。
【請求項３】
前記チューブが１ｍｍ未満の最大横断面スパンを有する、請求項１に記載の追跡センサ。
【請求項４】
装置であって、
医療用器具と、
前記器具の遠位部分に配設された少なくとも１つの追跡センサであって、
フェライト粉末を収容するチューブ、及び、
前記チューブの周りに巻き付けられるコイル、を備える、追跡センサと、
を備える、装置。
【請求項５】
前記医療用器具がガイドワイヤを備え、前記追跡センサが前記ガイドワイヤの管腔内に配設されている、請求項４に記載の装置。
【請求項６】
方法であって、
少なくとも１つの追跡センサが遠位部分に配設される、医療用器具を被験者に挿入することであって、前記センサが、
フェライト粉末を収容するチューブ、及び、
前記チューブの周りに巻き付けられるコイル、を備える、ことと、
前記センサを使用して、磁場に反応して信号を発生させることと、
前記信号に反応して、プロセッサを使用して前記器具を追跡することと、
を含む、方法。
【請求項７】
前記器具を追跡することが、前記器具の前記遠位部分の位置を確認することを含む、請求項６に記載の方法。
【請求項８】
前記器具を追跡することが、前記器具の前記遠位部分の配向を確認することを含む、請求項６に記載の方法。
【請求項９】
前記器具がガイドワイヤを含み、前記方法が、前記ガイドワイヤを前記被験者に挿入することを含む、請求項６に記載の方法。
【請求項１０】
前記医療用器具を前記被験者に挿入することが、前記被験者の鼻孔を通して前記医療用器具を挿入することを含む、請求項６に記載の方法。
【請求項１１】
前記器具を使用して、前記被験者に対して副鼻腔形成処置を行うことを更に含む、請求項１０に記載の方法。
【請求項１２】
概ね剛性のフェライトコアであって、
フェライト粉末と、
１ｍｍ未満の最大横断面スパンを有する、前記フェライト粉末を収容するチューブと、
を備える、概ね剛性のフェライトコア。
【請求項１３】
前記チューブが実質的に最大限充填されている、請求項１２に記載のフェライトコア。
【請求項１４】
結合材料を更に備え、前記チューブが前記結合材料を更に収容する、請求項１２に記載のフェライトコア。
【請求項１５】
前記フェライト粉末及び前記結合材料が前記チューブ内で互いに混合されている、請求項１４に記載のフェライトコア。
【請求項１６】
前記チューブの前記最大横断面スパンが０．５ｍｍ未満である、請求項１２に記載のフェライトコア。
【請求項１７】
前記チューブの前記最大横断面スパンが０．３ｍｍ未満である、請求項１６に記載のフェライトコア。
【請求項１８】
前記フェライト粉末が鉄カルボニルを含む、請求項１２に記載のフェライトコア。
【請求項１９】
前記フェライトコアの中心長手方向軸線が直線ではない、請求項１２に記載のフェライトコア。
【請求項２０】
前記チューブの前記最大横断面スパンが前記チューブの直径であり、前記直径が１ｍｍ未満である、請求項１２に記載のフェライトコア。
【請求項２１】
前記チューブの前記最大横断面スパンと前記チューブの長さとの比が０．２未満である、請求項１２に記載のフェライトコア。
【請求項２２】
前記比が０．１未満である、請求項２１に記載のフェライトコア。
【請求項２３】
前記チューブの長さが２ｍｍ超である、請求項１２に記載のフェライトコア。
【請求項２４】
方法であって、
１ｍｍ未満の最大横断面スパンを有するチューブにフェライト粉末を挿入することと、
前記フェライト粉末を前記チューブ内で圧縮することと、
を含む、方法。
【請求項２５】
結合材料を前記チューブに挿入することを更に含む、請求項２４に記載の方法。
【請求項２６】
前記フェライト粉末及び前記結合材料を前記チューブに挿入することが、前記フェライト粉末及び前記結合材料の混合物を前記チューブに挿入することを含む、請求項２５に記載の方法。
【請求項２７】
前記結合材料を前記チューブに挿入することが、前記チューブの少なくとも一端で前記結合材料を前記チューブに挿入することによって、前記フェライト粉末を前記チューブ内で密封することを含む、請求項２５に記載の方法。
【請求項２８】
前記チューブの周りにコイルを巻き付けることを更に含む、請求項２４に記載の方法。
【請求項２９】
前記チューブをコイルの管腔に挿入することを更に含む、請求項２４に記載の方法。
【請求項３０】
前記チューブの中心長手方向軸線が直線でないように前記チューブを成形することを更に含む、請求項２４に記載の方法。
【請求項３１】
前記方法が、前記フェライト粉末を挿入することと、前記フェライト粉末を前記チューブ内で圧縮することとを繰り返し交互に行うことを含む、請求項２４に記載の方法。
【請求項３２】
前記方法が、前記フェライト粉末を挿入することと、前記フェライト粉末を前記チューブ内で圧縮することとを繰り返し交互に行うことによって、前記チューブを実質的に最大限充填することを含む、請求項３１に記載の方法。
【発明の詳細な説明】
【技術分野】
【０００１】
本発明の実施形態は、例えば、医療処置の実施を容易にするのに使用されてもよい、概ね剛性のフェライトコアを含む追跡センサに関する。
【背景技術】
【０００２】
副鼻腔形成処置（sinuplasty procedure）などの医療処置のために医療用器具が被験者に挿入される際、手術を行う医師は、器具のおおよその位置及び／又は配向を知りたいと望む場合がある。
【発明の概要】
【課題を解決するための手段】
【０００３】
本発明のいくつかの実施形態によれば、追跡センサが提供される。センサは、フェライト粉末を収容するチューブと、チューブの周りに巻き付けられるコイルとを含む。
【０００４】
いくつかの実施形態では、追跡センサは結合材料を更に含み、チューブは結合材料を更に収容する。
【０００５】
いくつかの実施形態では、チューブは、１ｍｍ未満の最大横断面スパンを有する。
【０００６】
更に、本発明のいくつかの実施形態によれば、医療用器具であって、前記器具の遠位部分に配設されている少なくとも１つの追跡センサを備える医療用器具が提供される。センサは、フェライト粉末を収容するチューブと、チューブの周りに巻き付けられるコイルとを含む。
【０００７】
いくつかの実施形態では、医療用器具はガイドワイヤを備え、追跡センサはガイドワイヤの管腔内に配設されている。
【０００８】
更に、本発明のいくつかの実施形態によれば、方法が提供される。方法は、少なくとも１つの追跡センサが遠位部分に配設される、医療用器具を被験者に挿入することを含む。センサは、フェライト粉末を収容するチューブと、チューブの周りに巻き付けられるコイルとを含む。センサは、磁場に反応して信号を発生させるのに使用される。プロセッサを使用して、信号に反応して器具が追跡される。
【０００９】
いくつかの実施形態では、器具を追跡することは、器具の遠位部分の位置を確認することを含む。
【００１０】
いくつかの実施形態では、器具を追跡することは、器具の遠位部分の配向を確認することを含む。
【００１１】
いくつかの実施形態では、器具はガイドワイヤを含み、方法は、ガイドワイヤを被験者に挿入することを含む。
【００１２】
いくつかの実施形態では、医療用器具を被験者に挿入することは、被験者の鼻孔を通して医療用器具を挿入することを含む。
【００１３】
いくつかの実施形態では、方法は、器具を使用して被験者に対して副鼻腔形成処置を行うことを含む。
【００１４】
更に、本発明のいくつかの実施形態によれば、概ね剛性のフェライトコアが提供される。フェライトコアは、フェライト粉末と、１ｍｍ未満の最大横断面スパンを有する、フェライト粉末を収容するチューブとを含む。
【００１５】
いくつかの実施形態では、チューブは実質的に最大限充填される。
【００１６】
いくつかの実施形態では、フェライトコアは結合材料を更に含み、チューブは結合材料を更に収容する。
【００１７】
いくつかの実施形態では、フェライト粉末及び結合材料はチューブ内で互いに混合されている。
【００１８】
いくつかの実施形態では、チューブの最大横断面スパンは０．５ｍｍ未満である。
【００１９】
いくつかの実施形態では、チューブの最大横断面スパンは０．３ｍｍ未満である。
【００２０】
いくつかの実施形態では、フェライト粉末は鉄カルボニルを含む。
【００２１】
いくつかの実施形態では、フェライトコアの中心長手方向軸線は直線ではない。
【００２２】
いくつかの実施形態では、チューブの最大横断面スパンはチューブの直径であり、直径は１ｍｍ未満である。
【００２３】
いくつかの実施形態では、チューブの最大横断面スパンとチューブの長さとの比は０．２未満である。
【００２４】
いくつかの実施形態では、比は０．１未満である。
【００２５】
いくつかの実施形態では、チューブの長さは２ｍｍ超である。
【００２６】
更に、本発明のいくつかの実施形態によれば、方法が提供される。方法は、１ｍｍ未満の最大横断面スパンを有するチューブにフェライト粉末を挿入することと、フェライト粉末をチューブ内で圧縮することとを含む。
【００２７】
いくつかの実施形態では、方法は、結合材料をチューブに挿入することを含む。
【００２８】
いくつかの実施形態では、フェライト粉末及び結合材料をチューブに挿入することは、フェライト粉末及び結合材料の混合物をチューブに挿入することを含む。
【００２９】
いくつかの実施形態では、結合材料をチューブに挿入することは、チューブの少なくとも一端で結合材料をチューブに挿入することによって、フェライト粉末をチューブ内で密封することを含む。
【００３０】
いくつかの実施形態では、方法は、コイルをチューブに巻き付けることを更に含む。
【００３１】
いくつかの実施形態では、方法は、チューブをコイルの管腔に挿入することを更に含む。
【００３２】
いくつかの実施形態では、方法は、チューブの中心長手方向軸線が直線でないようにチューブを成形することを更に含む。
【００３３】
いくつかの実施形態では、方法は、フェライト粉末を挿入することと、フェライト粉末をチューブ内で圧縮することとを繰り返し交互に行うことを含む。
【００３４】
いくつかの実施形態では、方法は、フェライト粉末を挿入することと、フェライト粉末をチューブ内で圧縮することとを繰り返し交互に行うことによって、チューブを実質的に最大限充填することを含む。
【００３５】
本発明は、その実施形態の以下の詳細な説明を図面と併せ読むことによって、更に十分に理解されるであろう。
【図面の簡単な説明】
【００３６】
【図１】本発明のいくつかの実施形態による、副鼻腔形成処置を被験者に対して行う方法を示す概略図である。
【図２】本発明のいくつかの実施形態による、追跡センサを示す概略図である。
【発明を実施するための形態】
【００３７】
医療処置のために医療用器具を被験者に挿入する際、手術を行う医師は、器具のおおよその位置及び／又は配向を知りたいと望む場合がある。例えば、副鼻腔形成処置を行う場合、手術を行う医師は、被験者の鼻孔を通してガイドワイヤを挿入し、続いてガイドワイヤを使用して、副鼻腔形成術を行うことがある。ガイドワイヤの遠位部分が被験者の体内で誤った位置にある場合、副鼻腔形成処置は成功しないことがあり、更に場合によっては被験者を傷つけることがある。したがって、医師がガイドワイヤの遠位部分のおおよその位置を知っていることが有益である場合が多い。
【００３８】
用いられることがある１つの技術は、少なくとも１つのコイルを備え、器具の遠位部分に配置される電磁（ＥＭ）追跡センサを使用して、器具を追跡することを伴う。被験者は磁場内に配置されるので、センサは磁場に反応して電気信号を発生させる。電気信号はプロセッサに伝達される。信号に反応して、プロセッサは器具を追跡してもよく、即ち、プロセッサは、器具の遠位部分の位置及び／又は配向を確認してもよい。この技術は、例えば、ガイドワイヤの遠位部分で、追跡センサをガイドワイヤの管腔内に配置することによって、副鼻腔形成術に用いられてもよい。上述の技術を用いる際の１つの課題は、特にガイドワイヤの内径によってセンサのサイズが制約される場合に、磁場に対する追跡センサの感度が不十分なことがあるということである。
【００３９】
磁場に対するセンサの感度を増大させる１つの解決策は、フェライトコアの周りにセンサコイルを巻き付けるというものである。しかしながら、固体フェライトロッドからなる従来技術のフェライトコアは、コアが比較的小さい直径を有することが求められる用途で使用するのには適さないことがある。特に、固体フェライトロッドは、ロッドの直径対長さ比が約０．５未満の場合に簡単に破損することがある（ロッド径が特に小さい場合、例えば１ｍｍ未満の直径の場合、「臨界の」直径対長さ比は０．５超であることさえある。）したがって、ロッド径が比較的小さい場合、ロッドがセンサの感度を十分に増大させることができない程度まで、ロッドの長さを制限するのが必要なことがある。
【００４０】
例えば、上述した副鼻腔形成術用のガイドワイヤは、一般的に、比較的小さい、例えば０．５〜１ｍｍの内径を有し、そのため、副鼻腔形成術用のガイドワイヤ内に配置されるフェライトコアは、同様に比較的小さい直径を有さなければならない。したがって、副鼻腔形成術用途の場合、固体フェライトロッドは、ロッドとしての使用に適さないことがあり、簡単に破損しないためには長さ（例えば、１〜１．５ｍｍ）を有する必要があるので、ロッドが十分に有効でなくなる。
【００４１】
本発明の実施形態は、一般に、簡単に破損することなく比較的小さい直径対長さ比を有することができる、フェライトコアを提供することによって、上述の課題に対処する。更に後述するように、フェライトコアはフェライト粉末を収容するチューブを備える。本発明の実施形態は、副鼻腔形成処置、電気生理学的処置、又は他の任意の好適なタイプの処置に使用されてもよい。
【００４２】
次に、本発明のいくつかの実施形態による、被験者２２に対して副鼻腔形成処置を行う方法２０を示す概略図である、図１を参照する（上述したように、本発明の実施形態は任意のタイプの好適な処置に使用されてもよいので、本明細書において副鼻腔形成処置を特に参照していることは、単なる例として提供されるものであることを理解されたい。）図１は、手術を行う医師２４が、被験者２２の鼻孔を通して被験者にガイドワイヤ２６を挿入していることを示している。被験者の鼻孔及び／又は副鼻腔３４内でガイドワイヤを位置決めするのに続いて、医師は、ガイドワイヤ２６を使用して副鼻腔形成処置を行ってもよい。例えば、医師は、ガイドワイヤを通じてバルーンを鼻孔に通し、その後、例えば被験者の副鼻腔の小孔を開くなど、被験者の体内でバルーンを拡張させてもよい。
【００４３】
処置の間、複数のコイル３２を含むクランプ３０が、被験者の頭部に締め付けられる。クランプ３０に接続された発電機３９が、コイル３２を駆動して磁場を発生させる。コイル３２からの磁場は、空間内の特定の地点における磁場がコイル３２に対するその地点の固有の位置に相当するように構成される。磁場に反応して、ガイドワイヤ２６の遠位部分にある追跡センサ２８が電気信号３６を発生させ、それがプロセッサ３８によって受信される。信号３６はセンサ２８の位置及び配向の両方を示すので、プロセッサ３８は、ガイドワイヤの位置及び／又は配向を追跡することができ、即ちそれを確認することができる。
【００４４】
クランプの位置は被験者の頭部に対して固定されているので、コイルによって発生した磁場は、被験者が処置中に頭部を動かした場合であっても、ガイドワイヤを追跡するのに使用することができる。一般的に、センサ２８（及びしたがってガイドワイヤ２６の遠位端）の位置及び／又は配向は、ディスプレイ４１上の被験者の頭部の画像の上に重ねられて表示される。
【００４５】
一般的に、図１に示されるように、信号３６は、ガイドワイヤを通る有線接続を介してガイドワイヤの近位端に、またその後、プロセッサ３８に伝達される。他の実施形態では、信号３６は、少なくとも部分的には無線で伝達される。
【００４６】
次に、本発明のいくつかの実施形態による、追跡センサ２８の概略図である図２を参照する。センサ２８は、フェライト粉末４４を収容するチューブ４２（ポリアミドチューブなど）を備える、フェライトコア４８を備える。フェライトコア４８を製造するため、フェライト粉末４４がチューブ４２に挿入され、チューブ内で圧縮される。粉末４４をチューブ内で圧縮することは、チューブ内に配置することができる粉末の量を増加させ、したがってフェライトコアの能力を向上してセンサの感度を増大させる助けとなる。一般的に、フェライトコアの製造の後に粉末がチューブ内で概ね動かないように、したがってフェライトコアの強磁性が概ね一定のままであるように、チューブは粉末で（又は、後述するように、互いに別々の若しくは互いに混合した粉末及び結合材料で）実質的に最大限充填される。一般的に、粉末４４は鉄カルボニルを含む。
【００４７】
一般的に、フェライトコアは概ね剛性であり、即ち、医療処置中に体内のセンサが受ける通常の力に反応して屈曲しない。フェライトコアの剛性は、フェライトコアの強磁性が概ね一定のままである助けとなる。一般的に、フェライトコアの剛性は、上述したように、チューブ内に粉末を実質的に「最大限充填」することによって促進される。いくつかの実施形態では、粉末が充填される前であっても、チューブ４２は概ね剛性である。
【００４８】
センサ２８は、チューブ４２の周りに巻き付けられたコイル４６を更に備える。いくつかの実施形態では、コイル４６は、チューブに粉末４４が充填される前にチューブ４２の周りに巻き付けられる。他の実施形態では、コイル４６がチューブの周りに巻き付けられるか、又はチューブに部分的に若しくは最大限粉末を充填した後で、チューブがコイル４６の管腔に挿入される。図２に示されるように、コイル４６は数層の厚さであってもよい。コイル４６は、一般的に、絶縁された導電性ワイヤ、例えば銅ワイヤで作られる。信号３６は、周囲磁場によってコイル４６を横切って誘導される電圧によって発生する。
【００４９】
一般的に、結合材料５２が粉末４４と共にチューブに挿入される。結合材料は、チューブ内での粉末の動きを阻害することによって、フェライトコアの強磁性が概ね一定のままである助けとなる。例えば、フェライト粉末４４及び結合材料５２の混合物５０がチューブに挿入されてもよく、混合物５０は一般的にチューブ内で圧縮される。別の方法として、又はそれに加えて、結合材料は、チューブの少なくとも一端でチューブに挿入されてもよく、そのため、フェライト粉末をチューブ内で密封する助けとなる。
【００５０】
いくつかの実施形態では、結合材料はチューブに挿入されない。かかる実施形態では、チューブに充填した後、例えば結合材料を使用して、チューブの端部を密封することによって、粉末はチューブ内で密封される。
【００５１】
一般的に、フェライト粉末を挿入すること、及びフェライト粉末をチューブ内で圧縮することは、繰り返し交互に行われる。換言すれば、少量のフェライト粉末がチューブに挿入される、チューブ内の粉末が圧縮される、別の少量のフェライト粉末がチューブに挿入される、チューブ内の粉末が再び圧縮される、などである。
【００５２】
フェライトコア４８の利点は、コアの直径Ｄ０（一般に、チューブの外径と同じである）がコアの長さＬに比べて小さい場合であっても、チューブがコアに対して構造的一体性を提供することにより、フェライトコアが簡単に破損しないことである。したがって、Ｄ０は比較的小さく作られてもよく、一方で、一般にフェライトコアが有効であるのに十分な長さＬは維持される（例えば、Ｌは２ｍｍ超であってもよい）。例えば、３ｍｍの長さＬでは、Ｄ０は１ｍｍ未満、例えば０．８ｍｍ未満、０．５ｍｍ未満、又は０．３ｍｍ未満であってもよく、例えばＤ０は約０．２ｍｍであってもよい。（対照的に、３ｍｍの長さを有する固体フェライトロッドは、１ｍｍ超の直径を有するのが必要なことがあり、逆に、ロッド径が１ｍｍ未満の場合、ロッドの長さは３ｍｍ未満に、例えば２ｍｍ未満に限定するのが必要なことがある。）別の方法として、又はそれに加えて、Ｄ０対Ｌの比は０．２未満、例えば０．１未満であってもよい。
【００５３】
上述したように、コアの直径が比較的小さいことは、センサ２８をガイドワイヤ２６の管腔内に配置する助けとなる。例えば、コイルの厚さを含めたセンサの合計直径は、１ｍｍ未満、例えば０．５ｍｍ未満であってもよい。（上述したように、ガイドワイヤ管腔の一般的な直径の範囲は０．５〜１ｍｍである。）
【００５４】
本明細書は主に、チューブの最大横断面スパンＳ０がチューブの直径Ｄ０である、円筒状のチューブに関するが、チューブは、任意の合理的なタイプの横断面を有してもよいことに留意されたい。したがって、一般に、円形の横断面を有さないチューブに関する場合、上記の「Ｄ０」に対する言及は「Ｓ０」と置き換えられてもよい。
【００５５】
センサ２８は任意の好適な医療用器具と共に使用されてもよいことに留意されたい。例えば、センサ２８は、カテーテルの遠位部分でカテーテルの管腔内に配置されるか、又は内視鏡若しくは針の遠位部分に結合されてもよい。いくつかの実施形態では、フェライトコアの中心長手方向軸線５４は直線ではない。例えば、チューブを充填する前及び／又はその間、中心長手方向軸線５４が直線でないようにチューブが成形されてもよい。いくつかの用途では、フェライトコアを非線形医療用器具の形状に適応させることができるという点で、非線形フェライトコアが有利である。例えば、一部の医療処置は、湾曲した先端を有する針を使用しており、かかる処置の場合、直線のフェライトコアではなく湾曲したフェライトコアを針の先端に結合するのが好ましいことがある。本発明の実施形態による非線形フェライトコアを製造することは、チューブの成形がロッドよりも簡単であることにより、非線形固体のフェライトロッドの製造よりも概して簡単である。
【００５６】
当業者であれば、本発明が上記に特定して図示し記載してきたものに限定されないことを認識するであろう。それよりもむしろ、本発明の範囲は、上述した様々な特徴の組み合わせ及び部分的組み合わせ、並びに上述の説明を読むことで当業者が想到するであろう、従来技術にはない特徴の変形及び修正を含む。参照により本特許出願に組み込まれた文書は、これらの組み込まれた文書で定義されているあらゆる用語が、本明細書において明示的又は暗示的になされた定義と相反するような場合を除いて、本出願の一体部分と見なされるべきであり、本明細書における定義のみが検討されるべきである。
【００５７】
〔実施の態様〕
（１）  追跡センサであって、
フェライト粉末を収容するチューブと、
前記チューブの周りに巻き付けられるコイルと、
を備える、追跡センサ。
（２）  結合材料を更に備え、前記チューブが前記結合材料を更に収容する、実施態様１に記載の追跡センサ。
（３）  前記チューブが１ｍｍ未満の最大横断面スパン（maximal transverse-cross-sectional span）を有する、実施態様１に記載の追跡センサ。
（４）  装置であって、
医療用器具と、
前記器具の遠位部分に配設された少なくとも１つの追跡センサであって、
フェライト粉末を収容するチューブ、及び、
前記チューブの周りに巻き付けられるコイル、を備える、追跡センサと、
を備える、装置。
（５）  前記医療用器具がガイドワイヤを備え、前記追跡センサが前記ガイドワイヤの管腔内に配設されている、実施態様４に記載の装置。
【００５８】
（６）  方法であって、
少なくとも１つの追跡センサが遠位部分に配設される、医療用器具を被験者に挿入することであって、前記センサが、
フェライト粉末を収容するチューブ、及び、
前記チューブの周りに巻き付けられるコイル、を備える、ことと、
前記センサを使用して、磁場に反応して信号を発生させることと、
前記信号に反応して、プロセッサを使用して前記器具を追跡することと、
を含む、方法。
（７）  前記器具を追跡することが、前記器具の前記遠位部分の位置を確認することを含む、実施態様６に記載の方法。
（８）  前記器具を追跡することが、前記器具の前記遠位部分の配向を確認することを含む、実施態様６に記載の方法。
（９）  前記器具がガイドワイヤを含み、前記方法が、前記ガイドワイヤを前記被験者に挿入することを含む、実施態様６に記載の方法。
（１０）  前記医療用器具を前記被験者に挿入することが、前記被験者の鼻孔を通して前記医療用器具を挿入することを含む、実施態様６に記載の方法。
【００５９】
（１１）  前記器具を使用して、前記被験者に対して副鼻腔形成処置（sinuplasty procedure）を行うことを更に含む、実施態様１０に記載の方法。
（１２）  概ね剛性のフェライトコアであって、
フェライト粉末と、
１ｍｍ未満の最大横断面スパンを有する、前記フェライト粉末を収容するチューブと、
を備える、概ね剛性のフェライトコア。
（１３）  前記チューブが実質的に最大限充填されている、実施態様１２に記載のフェライトコア。
（１４）  結合材料を更に備え、前記チューブが前記結合材料を更に収容する、実施態様１２に記載のフェライトコア。
（１５）  前記フェライト粉末及び前記結合材料が前記チューブ内で互いに混合されている、実施態様１４に記載のフェライトコア。
【００６０】
（１６）  前記チューブの前記最大横断面スパンが０．５ｍｍ未満である、実施態様１２に記載のフェライトコア。
（１７）  前記チューブの前記最大横断面スパンが０．３ｍｍ未満である、実施態様１６に記載のフェライトコア。
（１８）  前記フェライト粉末が鉄カルボニルを含む、実施態様１２に記載のフェライトコア。
（１９）  前記フェライトコアの中心長手方向軸線が直線ではない、実施態様１２に記載のフェライトコア。
（２０）  前記チューブの前記最大横断面スパンが前記チューブの直径であり、前記直径が１ｍｍ未満である、実施態様１２に記載のフェライトコア。
【００６１】
（２１）  前記チューブの前記最大横断面スパンと前記チューブの長さとの比が０．２未満である、実施態様１２に記載のフェライトコア。
（２２）  前記比が０．１未満である、実施態様２１に記載のフェライトコア。
（２３）  前記チューブの長さが２ｍｍ超である、実施態様１２に記載のフェライトコア。
（２４）  方法であって、
１ｍｍ未満の最大横断面スパンを有するチューブにフェライト粉末を挿入することと、
前記フェライト粉末を前記チューブ内で圧縮することと、
を含む、方法。
（２５）  結合材料を前記チューブに挿入することを更に含む、実施態様２４に記載の方法。
【００６２】
（２６）  前記フェライト粉末及び前記結合材料を前記チューブに挿入することが、前記フェライト粉末及び前記結合材料の混合物を前記チューブに挿入することを含む、実施態様２５に記載の方法。
（２７）  前記結合材料を前記チューブに挿入することが、前記チューブの少なくとも一端で前記結合材料を前記チューブに挿入することによって、前記フェライト粉末を前記チューブ内で密封することを含む、実施態様２５に記載の方法。
（２８）  前記チューブの周りにコイルを巻き付けることを更に含む、実施態様２４に記載の方法。
（２９）  前記チューブをコイルの管腔に挿入することを更に含む、実施態様２４に記載の方法。
（３０）  前記チューブの中心長手方向軸線が直線でないように前記チューブを成形することを更に含む、実施態様２４に記載の方法。
【００６３】
（３１）  前記方法が、前記フェライト粉末を挿入することと、前記フェライト粉末を前記チューブ内で圧縮することとを繰り返し交互に行うことを含む、実施態様２４に記載の方法。
（３２）  前記方法が、前記フェライト粉末を挿入することと、前記フェライト粉末を前記チューブ内で圧縮することとを繰り返し交互に行うことによって、前記チューブを実質的に最大限充填することを含む、実施態様３１に記載の方法。
【図１】
2017006670.tif 000003
【図２】
2017006670.tif 000004
【外国語明細書】
2017006670000001.pdf